(57)【要約】  ビデオコンテンツの時間ベース及び地理的なナビゲーションのための方法、装置、及びシステムが提供される。ビデオコンテンツ及び関連したメタデータ情報が、ビデオキャプチャ及び符号化モジュールを用いて記録され、符号化される。関連したメタデータ情報は、記録の日付及び時間情報、及び記録位置を示す地理的位置情報の少なくとも1つを含む。記録されたビデオコンテンツ及び関連したメタデータ情報は、リモートストレージ及びウェブサーバ・デバイスに通信される。グラフィカル・ユーザ・インターフェースが、ビデオキャプチャ及び符号化モジュールの経路及び現在位置を示す対話型の地図の表示を可能にする。ビデオコンテンツは、グラフィカル・ユーザ・インターフェース及び対話型の地図の少なくとも１つを使用して、日付及び/又は時刻情報及び地理的位置情報により検索することができる。選択されたビデオコンテンツを、表示又は記憶のために、選択された位置に、ストリーミング又はダウンロードすることができる。
2017517789.tif 000002
【特許請求の範囲】
【請求項１】
ビデオコンテンツの時間ベース及び地理的ナビゲーションのためのシステムであって、
記憶及び伝送のために、ビデオコンテンツ及び関連したメタデータ情報を記憶し、符号化するためのインターネット可能なビデオキャプチャ及び符号化モジュールであって、ここで、前記関連したメタデータ情報は、記録の日時情報、及び記録中の、ビデオキャプチャ及び符号化モジュールの記録位置を示す地理的位置情報の少なくとも１つを含み、
前記ビデオキャプチャ及び符号化モジュールから、記録されたビデオコンテンツ及び関連したメタデータ情報を受信するためのリモートストレージ及びウェブサーバ・デバイス、及び
前記ストレージ及びウェブサーバ・デバイスと関連するグラフィカル・ユーザ・インターフェースであって、前記ビデオキャプチャ及び符号化モジュールの経路と現在位置を示す対話型の地図を含み、前記日時情報及び地理的位置情報の少なくとも１つにより、記録されたビデオコンテンツの検索を可能にするグラフィカル・ユーザ・インターフェースと、
を含み、
ここで、選択された前記記録されたビデオコンテンツは、表示又は記憶のために、選択位置へストリーミングされ又はダウンロードされる
ことを特徴とする巣ステム。
【請求項２】
さらに、前記記録されたビデオコンテンツ及び関連したメタデータ情報を局所的に記憶するための、前記ビデオキャプチャ及び符号化モジュールに関連したローカルストレージモジュールを含む、請求項１に記載のシステム。
【請求項３】
前記ローカルストレージモジュールが、前記ビデオチャプチャ及び符号化モジュールに組み込まれ、又は有線又は無線接続を介して、前記ビデオキャプチャ及び符号化モジュールに接続される、請求項２に記載のシステム。
【請求項４】
前記ローカルストレージモジュールが、高解像度バージョンのビデオコンテンツ又は低解像度バージョンのビデオコンテンツを記憶する、請求項２に記載のシステム。
【請求項５】
前記低解像度バージョンのビデオコンテンツが、前記リモートストレージ及びウェブサーバ・デバイスに与えられる、請求項４に記載のシステム。
【請求項６】
前記高解像度バージョンのビデオコンテンツ又は低解像度バージョンのビデオコンテンツの少なくとも１つが、前記リモートストレージ及びウェブサーバ・デバイスに与えられる、請求項１に記載のシステム。
【請求項７】
前記記録されたビデオコンテンツを選択したとき、高解像度バージョンの前記記録されたビデオコンテンツが前記選択位置へストリーミングされる又はダウンロードされる、請求項１に記載のシステム。
【請求項８】
前記高解像度バージョンの選択された記録されたビデオコンテンツが、前記ビデオチャプチャ及び符号化モジュールに関連したローカルストレージモジュール又は前記リモートストレージ及びウェブサーバ・デバイスの一つからストリーミング又はダウンロードされる、請求項７に記載のシステム。
【請求項９】
前記選択位置が、ビデオサーバ、クライアント表示デバイス、テレビ放送チャネル、ストリーミングチャネル、ニュースフィード、ウェブサイト、ソーシャルメディアプラットフォーム、再生サーバ、アーカイブサーバ、ニュース自動化システム、ノンリニア編集、コンテンツ配信ネットワーク（CDN）、及びオンラインビデオポータル（OVP）の１つを含む、請求項１に記載のシステム。
【請求項１０】
複数のビデオキャプチャ及び符号化モジュールを含み、
ここで、前記複数のビデオキャプチャ及び符号化モジュールの各々に対する複数の経路及び現在位置が対話型の地図上に表示される、請求項１に記載のシステム。
【請求項１１】
前記経路に沿った記録の位置のそれぞれに対して、中間地点インジケータが対話型の地図の経路上に表示される、請求項１に記載のシステム。
【請求項１２】
中間地点インジケータの一つが選択されると、対応する記録位置での記録されたコンテンツから低解像度の写真又は低解像度のビデオクリップのいずれの視聴が可能となる、請求項１１に記載のシステム。
【請求項１３】
前記中間地点インジケータが、対応する記録位置での記録されたコンテンツから低解像度の写真又は低解像度のビデオクリップの１つを含む、請求項１１に記載のシステム。
【請求項１４】
各経路に沿って表示される中間地点インジケータの数は設定可能である、請求項１１に記載のシステム。
【請求項１５】
各経路に沿って表示される中間地点インジケータの数が、地図の地図ビューをズーム又は拡張するときに、自動的に調整される、請求項１１に記載のシステム。
【請求項１６】
前記グラフィカル・ユーザ・インターフェースが、各経路点に対する、日付、時間及びGPS座標を示すテーブルを含み、テーブルからエントリが選択されると、対応する記録位置に記録されたコンテンツから低解像度の写真又は低解像度のビデオクリップの1の視聴が可能になる、請求項１１に記載のシステム。
【請求項１７】
さらに、前記地理的位置情報を提供するためのビデオキャプチャ及び符号化モジュールに関連したGPSモジュールを含む、請求項1に記載に従ったシステム。
【請求項１８】
前記メタデータ情報が、カメラの位置、ビデオの長さ、ビデオ及び音声フォーマット、タイムコード、ビデオファイルのサイズ、カメラ識別情報、所有権及び著作権情報、及びユーザによって事前に又は動的にログインされた追加のメタデータ情報の少なくとも１つを含み、
前記追加のメタデータ情報は、割り当て名、地理的な位置、カメラマン名、レポーター名、カメラクルー名、アシスタント名、生産者名、ストーリーの題目、主題の参照、プログラム名、及びユーザのコメントの少なくとも1つを含み、
前記ビデオンテンツは、メタデータ情報やメタデータ情報の任意の組み合わせによって、検索可能である、請求項１に記載のシステム。
【請求項１９】
前記ビデオコンテンツが、日付範囲、時間範囲、タイムコード、及び現在時刻の少なくとも１つを使用してさらに検索可能である、請求項１８に記載のシステム。
【請求項２０】
対話型の地図が前記ビデオキャプチャ及び符号化モジュールの現在位置、速度、及び方向情報を表示する、請求項１に記載のシステム。
【請求項２１】
前記ビデオキャプチャ及び符号化モジュールが、ビデオカメラ、ビデオカメラ、テレビカメラ、ムービーカメラ、携帯型電子デバイス、タブレットコンピュータ、スマートフォン、及びIP又はウェブカメラの１つを含む、請求項１に記載のシステム。
【請求項２２】
リモートリモートストレージ及びウェブサーバ・デバイスにリモートアクセスするためのリモートアクセス・デバイスを含み、
ここで、前記グラフィカル・ユーザー・インターフェースは、リモートアクセス・デバイス上に表示され、前記リモートアクセス・デバイスは、コンピュータ、ラップトップコンピュータ、携帯用電子機器、タブレットコンピュータ、及びスマートフォンの１つを含む、請求項１に記載のシステム。
【請求項２３】
前記リモートストレージ及びウェブサーバ・デバイスが、ローカルソフトウェアアプリケーション又はクラウドベースのアプリケーションを実行するコンピュータの１つを含む、請求項１に記載のシステム。
【請求項２４】
前記選択された、記録されたビデオコンテンツが、高解像度又は低解像度の記録されたコンテンツの選択された一部、高解像度又は低解像度の記録されたコンテンツの全体、及び高解像度又は低解像度の記録されたコンテンツからの選択された１つ以上の画像の１つを含む、請求項１に記載のシステム。
【請求項２５】
前記メタデータが、リアルタイム又はほぼリアルタイムで前記リモートストレージ及びウェブサーバ・デバイスに、前記記録されたビデオコンテンツと共に記録され、同時に保存されるか、又は、前記ビデオキャプチャ及び符号化モジュールに関連したローカルストレージから、前記リモートストレージ及びウェブサーバ・デバイスに、前記記録されたビデオコンテンツと共に続いて転送される、請求項１に記載のシステム。
【請求項２６】
前記タデータが、リアルタイム又はほぼリアルタイムで前記リモートストレージ及びウェブサーバ・デバイスに、記録されたビデオコンテンツなしで記録され、保存されるか、又は前記記録されたビデオコンテンツから分離して、前記ビデオキャプチャ及び符号化モジュールに関連したローカルストレージから、前記リモートストレージ及びウェブサーバ・デバイスに、続いて転送される、請求項１に記載のシステム。
【請求項２７】
前記グラフィカル・ユーザ・インターフェースが、
前記経路又は経路の一部をズームインするズーム機能と、
地図の領域を拡張するための拡張機能と、
表示される前記経路の日時の範囲の少なくとも１つを選択する選択インターフェースを含む、請求項1に記載のシステム。
【請求項２８】
ビデオコンテンツの時間ベース及び地理的ナビゲーション方法であって、
ビデオチャプチャ及び符号化モジュールを使用して、記憶及び伝送のため、ビデオコンテンツ及び関連したメタデータ情報を記録し、符号化する工程であって、ここで、前記関連したメタデータ情報は、記録の日時情報、記録の間の、前記ビデオキャプチャ及び符号化モジュールの記録位置を示す地理的位置情報の少なくとも１つを含み、
前記記録されたビデオコンテンツ及び関連したメタデータ情報を前記ビデオキャプチャ及び符号化モジュールから、リモートストレージ及びウェブサーバ・デバイスに通信する工程と、
前記リモートストレージ及びウェブサーバ・デバイスと関連したグラフィカル・ユーザ・インターフェースを介して、前記ビデオキャプチャ及び符号化モジュールの経路及び現在位置を示す対話型の地図の表示を可能する工程と、
前記日時情報及び地理的位置情報の前記少なくとも１つにより、前記グラフィカル・ユーザ・インターフェース及び前記対話型の地図の少なくとも１つを使用して、前記記録されたビデオコンテンツの検索を行う工程と、
表示又は記憶用に、選択位置へとストリーミングか、又はダウンロードのために、記録されたビデオコンテンツを選択する工程と、
を含む方法。
【発明の詳細な説明】
【技術分野】
【０００１】
本出願は、２０１４年３月２７日に出願の米国仮出願第６１／９７２２２４号（ここに、全ての目的のために組み入れられ、一部を構成する）に基づくものである。
【０００２】
本発明は一般的に、ビデオ記録の分野に関する。より具体的には、本発明は、記録されたビデオコンテンツ又はライブビデオコンテンツの時間ベース及び地理的ナビゲーションのための方法、装置、およびシステムに関する。
【背景技術】
【０００３】
ビデオ制作に関与するテレビ局や専門家は、毎日、現場でビデオカメラや他のタイプの外部レコーダーを使用して、ビデオコンテンツを時間の制限なしで撮影する。このコンテンツの一部は、セルラーベースのアップリンク・デバイス、衛星、マイクロ波伝送、または他の手段のような種々の方法を用いて、テレビ局（又は他のニュース会場、ウェブサイト等）へとライブストリーミングされ得るものです。しかし、コンテンツの大半は、スタジオ（又は他の制作現場）に物理的に、戻されるまで、又はＩＰを経由して非同期してスタジオに転送されるまで（非常に時間のかかる過程となる）、元々のビデオカメラのメディアや記録デバイス上に保持される。
【発明の概要】
【発明が解決しようとする課題】
【０００４】
オリジナルコンテンツがスタジオに到着すると、（例えば、タイムスタンプを介して）記録時間以外に記録の詳細をエンドユーザ（編集者や制作スタッフ）に提供することはめったになく、典型的には、ユーザは、所望のコンテンツを見つけるためにコンテンツをプレビューしなければならない。
【０００５】
地理的な位置及び/又は時間に基づいてコンテンツを検索する機能を有効にすることは利点があろう。ビデオコンテンツのための時間及び地理情報を含むメタデータ情報の記憶に関連したGPSシステムの使用を利用することがさらに利点があろう。
【０００６】
本発明の方法、装置及びシステムは上記及び他の利点を提供するものである。
【課題を解決するための手段】
【０００７】
本発明は、記録又はライブビデオコンテンツの時間ベースと地理的ナビゲーションのための方法、装置、およびシステムに関する。
【０００８】
本発明にしたがったビデオコンテンツの時間ベース及び地理的ナビゲーションのためのシステムの例示的実施例が、記憶及び伝送のためにビデオコンテンツ及び関連したメタデータ情報を記録し、符号化するためのインターネット可能なビデオキャプチャ及び符号化モジュールを含む。関連したメタデータ情報は、記録の日付及び時刻情報、および記録の間、ビデオキャプチャ及び符号化モジュールの記録位置を示す地理的位置情報の少なくとも1つを含む。
【０００９】
システムはまた、記録されたビデオコンテンツ及び関連したメタデータ情報をビデオキャプチャ及び符号化モジュールから受信するためのリモートストレージ及びウェブサーバ・デバイスを含む。システムは、さらに、リモートストレージ及びウェブサーバ・デバイスに関連したグラフィカル・ユーザ・インターフェースを含む。グラフィカル・ユーザ・インターフェースは、ビデオキャプチャ及び符号化モジュールの経路及び現在位置を示し、日付及び時刻情報及び地理的位置情報により、記録されたビデオコンテンツの検索を可能にする対話型の地図を含む。選択された、記録されたビデオコンテンツは、表示又は記憶のために選択位置にストリーミングされるか、またはダウンロードすることができる。
【００１０】
システムはまた、記録されたビデオコンテンツ及び関連したメタデータ情報を局所的に記憶するための、ビデオキャプチャ及び符号化モジュールに関連したローカルストレージモジュールを含むことができる。ローカルストレージモジュールは、ビデオキャプチャ及び符号化モジュールに組み込まれてもよく、有線又は無線接続を介してビデオキャプチャ及び符号化モジュールに接続されてもよい。ローカルストレージモジュールは、高解像度バージョンのビデオコンテンツ及び/又は低解像度バージョンのビデオコンテンツを記憶してよい。低解像度バージョンのビデオコンテンツをリモートストレージ及びウェブサーバ・デバイスに提供することができる。
【００１１】
これに代えて、高解像度バージョンのビデオコンテン又は低解像度バージョンのビデオコンテンツの少なくとも一つは、リモートストレージ及びウェブサーバ・デバイスに（ビデオキャプチャ及び符号化モジュールから直接又はローカルストレージ・
モジュールを介して）提供されてもよい。
【００１２】
記録されたビデオコンテンツが選択されると、その選択された、記録されたビデオコンテンの高解像度バージョンが選択位置に、ストリーミングされるか、又はダウンロードされる。選択された、記録されたビデオコンテンツの高解像度バージョンは、ビデオキャプチャ及び符号化モジュール又はリモートストレージ及びウェブサーバ・デバイスに関連しれたローカルストレージモジュールの１つからストリーミングされ、又はダウンロードされ得る。
【００１３】
選択位置は、ビデオサーバ、クライアント視聴デバイス、放送テレビチャンネル、ストリーミングチャンネル、ニュースフィード、ウェブサイト、ソーシャルメディアプラットフォーム、再生サーバ、アーカイブサーバ、ニュース自動システム、ノンリニア編集システム、コンテンツ配信ネットワーク（CDN）、オンラインビデオポータル（OVP）などの１つを含む。
【００１４】
システムは、複数のビデオキャプチャ及び符号化モジュールを含んでよい。このような実施例では、複数のビデオキャプチャ及び符号化モジュールの各々に対する対応する複数の経路及び現在場所が、対話型の地図上に表示される。
【００１５】
経路に沿った記録位置のそれぞれに対し、中間位置インジケータが対話型の地図の経路上に表示され得る。中間位置インジケータのいずれかを選択すると、対応する記録位置での記録されたコンテンツから低解像度の写真又は低解像度のビデオクリップの１つを視聴することが可能になる。
【００１６】
中間位置インジケータは、対応する記録位置での記憶されたコンテンツからの低解像度の写真又は低解像度のビデオクリップの1つを含んでよい。
【００１７】
各径路に沿って表示される中間位置インジケータの数が設定可能である。また、各径路に沿って表示される中間位置インジケータの数が地図の地図ビューをズームや拡張するときに自動的に調整されてよい。
【００１８】
グラフィカル・ユーザ・インターフェースは、さらに、各中間位置に対する日付、時刻及びGPSを示すテーブルを含んでよい。テーブルからエントリを選択すると、対応する記録位置での記録されたコンテンツの低解像度の写真又は低解像度のビデオクリップの１つの視聴が可能となる。
【００１９】
システムはさらに、地理的位置情報を提供するためのビデオキャプチャ及び符号化モジュールに関連したGPSモジュールを含んでよい。
【００２０】
メタデータ情報は、さらに、カメラの位置、ビデオの長さ、ビデオ及びオーディオフォーマット、タイムコード、ビデオファイルのサイズ、カメラ識別情報、所有権及び著作権情報、及び事前定義され又はユーザにより動的にログインされた追加のメタデータ情報、又は他のタイプの識別情報の少なくとも1つを含んでよい。追加のメタデータ情報は、割り当て名、地理的位置、カメラマン名、レポーター名、カメラクルー名、アシスタント名、生産者名、ストーリーの題目、主題の参照、プログラム名、ユーザのコメントなどを少なくとも１つを含んでもよい。
【００２１】
ビデオコンテンツは、メタデータ情報又はメタデータ情報の任意の組み合わせにより検索することができる。ビデオコンテンツはさらに、日付の範囲の、時間の範囲、タイムコード、及び現在時刻を用いて検索することができる。
【００２２】
対話型の地図は、ビデオキャプチャ及び符号化モジュールの現在の位置、速度、並びに方向情報を表示してよい。
【００２３】
ビデオキャプチャ及び符号化モジュールは、ビデオカメラ、ビデオカメラ、テレビカメラ、ムービーカメラ、携帯型電子機器、タブレットコンピュータ、スマートフォン、IP又はウェブカメラなどの１つを含んでよい。
【００２４】
システムはさらに、リモートリモートストレージ及びウェブサーバ・デバイスにアクセスするためのリモートアクセス・デバイスを含んでよい。このような実施例では、グラフィカル・ユーザ・インターフェースは、リモートアクセス・デバイス上に表示され得る。
【００２５】
リモートアクセス・デバイスは、コンピュータ、ラップトップコンピュータ、携帯用電子機器、タブレットコンピュータ、スマートフォンなどの１つを含んでよい。
【００２６】
リモートストレージ及びウェブサーバ・デバイスは、ローカルソフトウェアアプリケーション又はクラウドベースのアプリケーションの１つを実行するコンピュータの1つを含んでよい。
【００２７】
選択された、記録されたビデオコンテンツは、高解像度又は低解像度で記録されたコンテンツの選択された部分、高解像度又は低解像度で記録されたコンテンツの全体、及び高解像度又は低解像度で記録されたコンテンツからの選択された１つ以上の画像の１つを含んでよい。
【００２８】
メタデータは、リアルタイム又はほぼリアルタイムでリモートストレージ及びウェブサーバ・デバイスで、記録されたビデオコンテンツと共に記憶され、同時に保存されてよく、またはその後にビデオキャプチャ及び符号化モジュールに関連したローカルストレージからリモートストレージ及びウェブサーバ・デバイスに、記録されたビデオコンテンツと共に転送されてよい。
【００２９】
これに代えて、メタデータは、リアルタイム又はほぼリアルタイムで、リモートストレージ及びウェブサーバ・デバイスにおいて、記録されたビデオコンテンツなしで記録され、保存されてよく、又は記録されたビデオコンテンツから分離されて、ビデオキャプチャ及び符号化モジュールに関連したローカルストレージからリモートストレージ及びサーバ・デバイスにその後に転送されてよい。
【００３０】
グラフィカル・ユーザ・インターフェースは更に、経路または経路の一部についてズームインするためのズーム機能、地図の領域を拡張するための拡張機能、地図の表示位置を変更する位置変更機能、表示される経路の日時の範囲などの少なくとも１つを選択するための選択インターフェースなどの少なくとも１つを含んでよい。
【００３１】
本発明はまた、下述のシステムの実施例に従った装置及び方法を含む。
【００３２】
本発明に従った時間ベース及び地理的ナビケーションの例示の方法の実施例が、ビデオキャプチャ及び符号化モジュールを使用して記憶及び伝送のためのビデオコンテンツ及び関連したメタデータ情報を記録し、符号化する工程を含む。関連したメタデータ情報は、記録の日付及び時刻情報、記録の間、ビデオキャプチャ及び符号化モジュールの記録位置を示す地理的位置情報の少なくとも１つを含む。本発明はさらに、記録されたビデオコンテンツ及び関連したメタデータ情報をビデオキャプチャ及び符号化モジュールからリモートストレージ及びウェブサーバ・デバイスに通信する工程、及びリモートストレージ及びウェブ・デバイスに関連したグラフィカル・ユーザ・インターフェースを介して、ビデオコンテンツ及び符号化モジュールの経路及び現在位置を示す対話型の地図の表示を可能にする工程を含む。本方法はまた、日付及び時刻の情報並びに地理的位置情報の少なくとも1つによって、グラフィカル・ユーザ・インターフェース及び対話型の地図の１つを使用して検査する工程、及び表示または記憶のために、選択位置へとストリーミングするため又はダウンロードするために、記憶されたビデオコンテンツを選択する工程を含む。
【００３３】
本発明の装置及び方法は、上述のシステムの実施形態の様々な特徴を含んでよい。
本発明は以下で、参照符号が付された添付図面を参照して説明される。
【図面の簡単な説明】
【００３４】
【図１】図１は本発明によるシステムの実施例を示す。
【図２】図２は、本発明に従ったグラフィカル・ユーザ・インターフェースの例示的な実施形態を示す。
【発明を実施するための形態】
【００３５】
以下の詳細な説明は、例示的な実施形態のみを提供し、本発明の範囲、適用性、又は構成を限定するものではない。むしろ、例示的な実施形態についての以下の詳細な説明は、本発明の実施形態を実施するための可能な説明を当業者に提供するものである。様々な変更が、特許請求の範囲に記載された本発明の思想及び範囲から逸脱することなく、要素の機能及び配置においてなされ得ることが理解されるべきである。
【００３６】
本発明は、記録又はライブビデオの時間ベース及び地理的ナビゲーションのための方法、装置、及びシステムに関する。
【００３７】
本発明の方法、装置、及びシステムは、操作者が遠隔地で、記録装置（これは、別の場所にあってもよい）上のビデオクリップ、又は一つ以上のライブストリーミングクリップ（リアルタイムで記録されるライブイベントのクリップを含む）を、地理的位置及び発生の日付/時刻に基づいて検索できるようにする。本発明に従った時間ベース及び地理的ナビゲーションのためのシステムの例示的実施例が図１に示されている。インターネットを利用できるビデオキャプチャ及び符号化モジュール１２が、記憶及び伝送のために、ビデオコンテンツ及び関連したメタデータ情報を記録し、符号化するために提供される。関連したメタデータ情報は、記録の日時及び記録時のビデオキャプチャ及びエンコードモジュール１２の記録位置を示地理的位置情報の少なくとも１つを含む。システムはまた、ネットワーク１８（例えば、インターネット）を介してビデオキャプチャ及び符号化モジュール１２から、記録されたビデオコンテンツ及び関連したメタデータ情報を受信するためのリモートストレージ及びウェブサーバ・デバイス２０を含む。システムはさらに、リモートストレージ及びウェブサーバ・デバイス２０に関連したグラフィカル・ユーザ・インターフェース２１を含む。グラフィカル・ユーザ・インターフェース２１は、ビデオキャプチャ及び符号化モジュール１２の経路３１及びの現在位置を示す対話型の地図３０を含み、日時情報及び地理的位置情報の少なくとも１つにより、記録されたビデオコンテンツの検索を可能にする。選択され記録されたビデオコンテンツは表示や保存のため、選択位置４２へのストリーミング２２又はダウンロードされたものであってもよい。
【００３８】
ビデオキャプチャ及び符号化モジュール１２は、伝送のためにビデオコンテンツを記録し、処理し、さらにネットワーク１８に接続するために必要なプロセッサ、メモリ及び他のハードウェアを含んでよい。
【００３９】
ネットワーク１８は、インターネット、衛星ネットワーク、セルラーネットワーク、WAN又はLAN、又は他のタイプの無線アップリンクシステムといったタイプのネットワーク、またはネットワークの組み合わせで表すことができる。
【００４０】
システムはまた、記録されたビデオコンテンツ及び/又は関連したメタデータ情報を局所的に記憶するための、ビデオキャプチャ及び符号化モジュール１２に関連したローカルストレージモジュール１６を含むことができる。ローカルストレージモジュール１６は、（例えば、統合又は取り外し可能なメモリとして）ビデオキャプチャ及び符号化モジュール１２に一体化されても、又は分離されてもよい（ただし有線又は無線接続を介してビデオキャプチャ及び符号化モジュール１２に接続されてはいる）。ローカルストレージモジュール１６が、ビデオキャプチャ及び符号化モジュール１２から分離している場合には、当技術分野でよく知られているように、ビデオキャプチャ及び符号化モジュール１２はまた、内部メモリを含むことができる。ローカル・ストレージ・ジュール１６は、高解像度バージョンのビデオコンテンツ及び/又は低解像度バージョンのビデオコンテンツを記憶することができる。低解像度バージョンのビデオコンテンツがリモートストレージ及びウェブサーバ・デバイス２０に提供されてもよい。
【００４１】
他の例として、高解像度バージョン又は低解像度バージョンのビデオコンテンツの少なくとも一つは、（直接ビデオキャプチャ及び符号化モジュール１２から、またはローカルストレージモジュール１６を介して）リモートストレージ及びウェブサーバ・デバイス２０に提供することができる。
【００４２】
記録されたビデオコンテンツが選択されると、選択された、記録されたビデオコンテンツの高解像度バージョンは、選択位置４２へストリーミング２２されるか、ダウンロード２４される。高解像度バージョンの選択された、記録されたビデオコンテンツは、ビデオキャプチャ及び符号化モジュール１２又はリモートストレージ及びウェブサーバ・デバイス２０に関連したローカルストレージモジュール１６の１つからストリーミングされ、又はダウンロードされてもよい。
【００４３】
選択された、記録されたビデオコンテンツも、ビデオキャプチャ及び符号化モジュール12から選択位置42にストリーミングされ、又は直接ダウンロードされる。
【００４４】
選択位置４２は、ビデオサーバ、クライアント表示デバイス、放送テレビチャンネル、ストリーミングチャンネル、ニュースフィード、ウェブサイト、ソーシャルメディアプラットフォーム、プレイアウトサーバー、アーカイブサーバ、ニュース・オートメーション・システム、ノンリニア編集システム、コンテンツ配信ネットワーク（CDN）、オンラインビデオポータル（OVP）などの一つを含むことができる。選択位置４２は、グラフィカル・ユーザ・インターフェース２１を介して入力することができる。
【００４５】
システムは、複数のビデオキャプチャ及び符号化モジュール１２を含むことができる。このような実施例では、複数のビデオキャプチャ及び符号化モジュール１２のそれぞれに対する、対応する複数の経路３１及び現在位置が対話型の地図３０上に表示され得る。
【００４６】
図２は、本発明に従ったグラフィカル・ユーザ・インターフェース２１の例示的な実施形態を示す。二つの別々のルート３１は、図１の対話型の地図３０に示されているが、明確にするため、１つのルート３１が、図２の対話型の地図３０に示されている。複数のビデオキャプチャ及び符号化モジュール１２に対して複数の経路３１を示すことができる。情報が地図３０上に表示される経路３１及び/又は特定のビデオキャプチャ及び符号化モジュール１２の数は設定可能である（例えば、１０個のビデオキャプチャ及び符号化モジュール１２が現場で活動中であるとき、これらモジュール１２（特定のニュースイベントに近い）の三つに対する情報を地図３０上に表示することができる）。
【００４７】
図２に示されているように、経路３１に沿った記録位置のそれぞれに対して、中間地点インジケータ３２を、対話型の地図３０上の経路３１上に表示することができる。中間地点インジケータ３２の一つを選択すると、低解像度の写真又は低解像度のビデオクリップ３６の一方の視聴を、対応する記録位置で記録されたコンテンツから可能にすることができる。
【００４８】
中間地点インジケータ３２は、対応する記録位置に記録されたコンテンツから中間地点アイコン、低解像度の写真３６、又は低解像度のビデオクリップ３６のいずれかを含むことができる。図２は、中間地点インジケータ３２としての中間地点アイコンの使用を示し、（例えばマウスクリックやマウスのホバリングで）選択されたときに、ビデオキャプチャ及び符号化モジュール１２に関する種々の情報３７（一端中間地点インジケータ３２が選択されると、示される情報（限定ではないが、ビデオキャプチャ及び符号化モジュール１２の位置、方向、高度、速度、及び方位情報））を与える。図１に示されているように、中間地点アイコンの選択は、記録位置から低解像度バージョンの画像又はビデオクリップ３６の表示をもたらすことができる。これに代えて、画像やビデオクリップ３６は、中間地点インジケータ３２として中間地点アイコンの代わりとすることができる。
【００４９】
各経路３１に沿って表示された中間地点インジケータ３２の数は設定可能である。例えば、経路３１に沿って示された中間地点インジケータ３２の数は、各中間地点３２の間の時間又は距離の程度によって設定されてよい（例えば、中間地点は半マイルごとに、又は中間地点は５分ごと）。また、各ルート３１に沿って表示された中間地点インジケータ３２の数は、地図３０をズーム又拡大して見るとき自動的に調整することができる。例えば、拡大して地図をみるとき、経路３１の多くは、従って、ルート３１に沿ったより多くの中間地点イントインジケータ３２は（例えば、中間地点インジケータ３２の密度及び間隔を維持する一方で）自動的に示すことができる。代替的に、地図を拡大するとき、経路３１の一部に沿った中間地点インジケータ３２の数は、所望に増減させることができる。地図３０の特定の部分又は経路３１の一部についてズームインすると、より多くの中間地点インジケータ３２を見ることができる。
【００５０】
グラフィカル・ユーザ・インターフェース２１は、各中間地点インジケータ３２に対する日付、及びGPS座標を含むテーブル３４を含んでよい。テーブル３４からエントリを選択すると、対応する記録位置での記録コンテンツから低解像度の写真又は低解像度のビデオクリップ３６（図１に示さている）の視聴が可能となる。
【００５１】
システムはさらに、地理的位置情報を提供するための、ビデオキャプチャ及び符号化モジュール１２に関連したGPSモジュール１４を備えることができる。GPSモジュール１４は、ビデオキャプチャ及び符号化モジュール１２及び/又はローカルストレージモジュール１６と一体化されてよく、又は、そこから別個に実装されてもよい。ローカルストレージモジュール１６が、ビデオキャプチャ及び符号化モジュール１２に一体化されているか否かに応じて、ローカルストレージモジュール１６及び/又はビデオキャプチャ及び符号化モジュール１２はGPS１４と通信してもよい。
【００５２】
メタデータ情報はさらに、カメラの位置、ビデオの長さ、ビデオ及び音声のフォーマット、タイムコード、ビデオファイルのサイズ、カメラ識別情報、所有権及び著作権情報、及び事前定義又はユーザにより動的にログインされる他のメタデータ情報、又は他のタイプの識別情報の少なくとも一つを含んでよい。追加のメタデータ情報は、割り当て名、地理的な位置、カメラマンの名、レポーター名、カメラクルー名、アシスタント名、プロデューサ名、ストーリーの題名、主題の参照、プログラム名、ユーザのコメントなどの少なくとも一つを含み得る。
【００５３】
メタデータ情報は、地図３０及びグラフィカル・ユーザ・インターフェース２１の対応する検索機能の表示を可能にするために、リモートストレージ及びウェブサーバ・デバイス２０により使用される。ビデオコンテンツは、メタデータ情報又はメタデータ情報の任意の組み合わせのいずれかで検索することができる。例えば、メタデータを介して検索することは、グラフィカル・ユーザ・インターフェース２１上の検索ボックス３５を介して有効にすることができる。更に、ユーザがまた、カメラクルー名、ストーリーの題目などのような、追加のメタデータを使用して検索を絞り込むことができる。
【００５４】
追加のメタデータ情報は、ビデオキャプチャ及び符号化モジュール１２上のキーボードを介して、ビデオキャプチャ及び符号化モジュール１２上のタッチスクリーンキーパッドを介して、又はビデオキャプチャ及び符号化モジュール１２と通信する外部デバイス１７（例えば、タッチスクリーンや外部デバイス１７上のキーパッド）を介してユーザにより入力されてよい。更に、追加のメタデータは、ビデオコンテンツの記録の後に、グラフィカル・ユーザ・インターフェース２１を介して入力されてもよい。
【００５５】
ビデオキャプチャ及び符号化モジュール１２は、ビデオカメラ、ビデオカメラ、テレビカメラ、ムービーカメラ、携帯型電子デバイス、タブレットコンピュータ、スマートフォン、IP又はウェブカメラなどの一つを含んでよい。
【００５６】
ユーザは、リモートストレージ及びウェブサーバ・デバイス２０に直接に、又はネットワーク１８を介してリモートストレージ及びウェブサーバ・デバイス２０にリモートでアクセスするためのリモートアクセス・デバイス４０を介してアクセスすることができる。このような実施例では、グラフィカル・ユーザ・インターフェース２１は、リモートアクセス・デバイス４０上に表示されてよく、リモートアクセス・デバイス４０は、本明細書で説明されるリモートストレージ及びウェブサーバ・デバイスのすべての機能を可能にすることができる。リモートアクセス・デバイス４０は、コンピュータ、ラップトップコンピュータ、携帯用電子機器、タブレットコンピュータ、スマートフォン、または他のタイプのインターネット対応デバイスの一つを含むことができる。
【００５７】
外部ストレージデバイス１６は、外部デバイス１７に組み込んでよい。更に又は代替的に、外部デバイス１７は、リモートアクセス・デバイス４０と同じ機能を含んでよい。外部装置１７は、ビデオキャプチャ及び符号化モジュール１２と有線又はローカル無線通信であっても、又はネットワーク１８を介して接続されてもよい。外部デバイス１７は、コンピュータ、ラップトップコンピュータ、携帯用電子機器、タブレットコンピュータ、スマートフォン、又は他のタイプのインターネット対応デバイスの１つを含んでよい。
【００５８】
リモートストレージ及びウェブサーバ・デバイス２０は、ローカルソフトウェアアプリケーション又はクラウドベースのアプリケーション（それぞれはウェブインターフェースを提供する）を実行するコンピュータの一つを含んでよい。
【００５９】
選択された、記憶されたビデオコンテンツは、高解像度又は低解像度で記録されたコンテンツの選択された部分、高解像度又は低解像度で記録されたコンテンツの全体、及び高解像度又は低解像度で記録されたコンテンツからの選択された１つ以上の画像の１つを含んでよい。
【００６０】
メタデータは、リアルタイム又はほぼリアルタイムで、リモートストレージ及びウェブサーバ・デバイス２０で、記録されたビデオコンテンツと共に記録され、同時に保存され、又はビデオキャプチャ及び符号化モジュール１２に関連したローカルストレージモジュール１６から、リモート及びウェブサーバ・デバイス２０に、記録されたビデオコンテンツと共にその後に転送されてもよい。
【００６１】
これに代えて、メタデータは、リアルタイム又はほぼリアルタイムで、リモートストレージ及びウェブサーバ・デバイス２０で、記録されたビデオコンテンツなしで記録され、保存され、又はビデオキャプチャ及び符号化モジュール１２に関連したローカルストレージモジュール１６から、リモート及びウェブサーバ・デバイス２０に、記録されたビデオコンテンツとともにその後に転送されてもよい。
【００６２】
グラフィカル・ユーザ・インターフェース２１は、操作者が（例えば、地図及び経路追跡機能を使用して）地域別に検索することができる。グラフィカル・ユーザ・インターフェース２１はさらに、経路又は経路の部分においてズームインするためのズーム機能、地図の領域を拡張するための拡張機能、表示される経路の日時範囲などの少なくとも1つを選択するための選択インターフェースのうち少なくとも１つを含んでよい。ズーム、拡張及び位置変更のための標準地図ナビゲーション制御３３を利用してよい。グラフィカル・ユーザ・インターフェース２１はまた、スライド可能な日時インターフェース３８の使用により、日時、日付/時刻、タイムコード、および現在の時間（現在の時刻/リアルタイム検索を含むものまで）のための範囲によって、ビデオコンテンツの検索を可能にする。
【００６３】
本発明の一実施例において、ビデオキャプチャ及び符号化モジュール１２、GPSモジュール１４、及びローカルストレージモジュール１６は、サブシステム１０を構成することができる。リモートストレージ及びウェブサーバ・デバイス２０は、１つ以上のサブシステム１０からのメタデータ情報を受信し、記憶することができる。リモートストレージ及びウェブサーバ・デバイス２０はまた、複数のサブシステム１０からの関連したビデオコンテンツを記憶することができる。リモートストレージ及びウェブサーバ・デバイス２０上で実行されるグラフィカル・ユーザ・インターフェース２１は、少なくとも日付、時間及び/又は場所（ビデオコンテンツに関連したメタデータ情報に基づく）、及びビデオコンテンツ又はその選択された部分（例えば、コンテンツストリーム２２又は高解像度のビデオクリップ２４）をダウンロードし、さらに/又はパスする能力により、ビデオコンテンツの検索を可能にする。
【００６４】
サブシステム１０は、（例えば、製造施設から離れている）場所に配置されてもよいです。リモートストレージ及びウェブサーバ・デバイス２０は、例えば、製造設備の機械室に配置されてもよい。リモートアクセス・デバイス４０は、例えば、ニュースルームに配置されてもよい。しかしながら、サブシステム１０の潜在的な携帯性のために、それらは、互いに離れて又は同じ近傍の任意の場所に配置することができる。
【００６５】
使用時に、サブシステム１０は、ローカルストレージモジュール１６（又はビデオキャプチャ及び符号化モジュール１２の内部メモリ）及び関連したメタデータ（限定ではないが、GPS１４からのデータを含む）にビデオコンテンツを記録する。メタデータの一部又はすべてが、後の段階で、リモートストレージ及びウェブサーバ２０に、対応するビデオコンテンツと共に又はこれなしで、同時に記録又は転送される。メタデータは、地図３０と、対応する検索機能の表示を可能にするために、リモートストレージ及びウェブサーバ・デバイス２０によって使用される。所望のコンテンツが地理的領域、時刻、又は他のメタデータに基づいて配置されると、コンテンツがIPを介してフィールド・ディレクトリから所望の選択位置（図１の符号２２に示されるように）にストリーミングすること、又は選択位置４２で、高解像度フォーマットでコンテンツ（又はその一部）をダウンロードすることが可能となる。
【００６６】
本発明は、日時、地理的位置、又は他のメタデータに基づいてビデオコンテンツを検索するための有効な方法及び装置を提供することが理解されるべきである。本発明は有効に、遠隔地で記録されたビデオコンテンツを、コンテンツが記録されたわずか数秒後に別の場所にいるユーザがアクセスし、検索し、精査することを可能にする。
【図１】
2017517789.tif 000003
【図２】
2017517789.tif 000004
【国際調査報告】
2017517789.tif 000005